(57)【要約】      （修正有）【課題】従来にない非常に実用的な蒔き芝生産装置及び蒔き芝生産方法を提供する。【解決手段】土部材に芝が植成されているシート芝から蒔き芝を生産するための蒔き芝生産装置であって、前記シート芝を導入するシート芝導入部１と、このシート芝導入部から導入されたシート芝を処理する芝処理部とを有し、芝処理部には回転体３が設けられ、この回転体の周面には回転体の回転によりシート芝を叩いて細かく分断する芝分断部４が突設されたものである。【選択図】図１
2019170306.tif 000002
【特許請求の範囲】
【請求項１】
土部材に芝が植成されているシート芝から蒔き芝を生産するための蒔き芝生産装置であって、前記シート芝を導入するシート芝導入部と、このシート芝導入部から導入された前記シート芝を処理する芝処理部とを有し、前記芝処理部には回転体が設けられ、この回転体の周面には該回転体の回転により前記シート芝を叩いて細かく分断する芝分断部が突設されていることを特徴とする蒔き芝生産装置。
【請求項２】
請求項１記載の蒔き芝生産装置において、前記回転体の周面には前記芝の茎を切断する茎切断刃部が突設されていることを特徴とする蒔き芝生産装置。
【請求項３】
請求項１，２いずれか１項に記載の蒔き芝生産装置において、前記シート芝導入部には、前記シート芝に洗浄液を供給する洗浄液供給部が設けられていることを特徴とする蒔き芝生産装置。
【請求項４】
請求項１〜３いずれか１項に記載の蒔き芝生産装置において、前記芝処理部の下方位置には目皿部が設けられていることを特徴とすることを特徴とする蒔き芝生産装置。
【請求項５】
土部材に芝が植成されているシート芝から蒔き芝を生産するための蒔き芝生産方法であって、回転体の周面に突設された芝分断部により前記シート芝を連続的に叩いて細かく分断することを特徴とする蒔き芝生産方法。
【請求項６】
請求項５記載の蒔き芝生方法において、前記回転体の周面に突設された茎切断刃部により前記芝の茎を切断することを特徴とする蒔き芝生産方法。
【請求項７】
請求項５，６いずれか１項に記載の蒔き芝生方法において、前記シート芝に洗浄液を供給することを特徴とする蒔き芝生産方法。
【発明の詳細な説明】
【技術分野】
【０００１】
本発明は、蒔き芝生産装置及び蒔き芝生産方法に関するものである。
【背景技術】
【０００２】
芝生の造成方法として、出願人は特許第４７３９８６１号に開示される蒔き芝工法を提案している。
【０００３】
この蒔き芝工法は、芝生が必要な領域に芝の苗（蒔き芝）を均一に蒔き、当該領域において芝生を育成する方法であり、別途生産したシート状の土に芝が植成されたシート芝を芝生が必要な領域に敷設する場合に比し、広範囲の領域にコスト安に芝生を造成することができる。
【先行技術文献】
【特許文献】
【０００４】
【特許文献１】特許第４７３９８６１号公報
【発明の概要】
【発明が解決しようとする課題】
【０００５】
ところで、従来、蒔き芝工法で使用する蒔き芝を得ようとする場合、土に種を蒔いて育成し、このようにして育成されたシート芝をばらばらにほぐす（分断する）とともに、芝の茎を切断することで蒔き芝を生産しているが、このシート芝をほぐして切断する作業は手作業で行われており、非常に厄介である。
【０００６】
本発明は、上述の問題点を解消する、従来にない非常に実用的な蒔き芝生産装置及び蒔き芝生産方法を提供する。
【課題を解決するための手段】
【０００７】
添付図面を参照して本発明の要旨を説明する。
【０００８】
土部材30ａに芝30ｂが植成されているシート芝30から蒔き芝31を生産するための蒔き芝生産装置であって、前記シート芝30を導入するシート芝導入部１と、このシート芝導入部１から導入された前記シート芝30を処理する芝処理部２とを有し、前記芝処理部２には回転体３が設けられ、この回転体３の周面には該回転体３の回転により前記シート芝30を叩いて細かく分断する芝分断部４が突設されていることを特徴とする蒔き芝生産装置に係るものである。
【０００９】
また、請求項１記載の蒔き芝生産装置において、前記回転体３の周面には前記芝30ｂの茎30ｂ’を切断する茎切断刃部５が突設されていることを特徴とする蒔き芝生産装置に係るものである。
【００１０】
また、請求項１，２いずれか１項に記載の蒔き芝生産装置において、前記シート芝導入部１には、前記シート芝30に洗浄液Ｗを供給する洗浄液供給部６が設けられていることを特徴とする蒔き芝生産装置に係るものである。
【００１１】
また、請求項１〜３いずれか１項に記載の蒔き芝生産装置において、前記芝処理部２の下方位置には目皿部７が設けられていることを特徴とすることを特徴とする蒔き芝生産装置に係るものである。
【００１２】
また、土部材30ａに芝30ｂが植成されているシート芝30から蒔き芝31を生産するための蒔き芝生産方法であって、回転体３の周面に突設された芝分断部４により前記シート芝30を連続的に叩いて細かく分断することを特徴とする蒔き芝生産方法に係るものである。
【００１３】
また、請求項５記載の蒔き芝生方法において、前記回転体３の周面に突設された茎切断刃部５により前記芝30ｂの茎30ｂ’を切断することを特徴とする蒔き芝生産方法に係るものである。
【００１４】
また、請求項５，６いずれか１項に記載の蒔き芝生方法において、前記シート芝30に洗浄液Ｗを供給することを特徴とする蒔き芝生産方法に係るものである。
【発明の効果】
【００１５】
本発明は上述のように構成したから、蒔き芝工法に用いる蒔き芝が簡易且つ迅速に生産でき、ひいては蒔き芝工法がよりコスト安となるなど、従来にない非常に実用的な蒔き芝生産装置及び蒔き芝生産方法となる。
【図面の簡単な説明】
【００１６】
【図１】本実施例を示す斜視図である。
【図２】本実施例の説明断面図である。
【図３】本実施例の使用状態説明図である。
【図４】本実施例の要部の動作説明図である。
【図５】本実施例の要部の動作説明図である。
【図６】本実施例の使用状態説明図である。
【発明を実施するための形態】
【００１７】
好適と考える本発明の実施形態を、図面に基づいて本発明の作用を示して簡単に説明する。
【００１８】
シート芝30はシート芝導入部１から芝処理部２へ導入される。
【００１９】
この芝処理部２において、シート芝30は回転する回転体３に突設された芝分断部４によって叩かれ細かく分断される。
【００２０】
従って、シート芝30の分断が手作業でなく良好に行われ、蒔き芝工法に用いる蒔き芝が簡易且つ迅速に生産できる。
【実施例】
【００２１】
本発明の具体的な実施例について図面に基づいて説明する。
【００２２】
本実施例は、土部材30ａに芝30ｂが植成されているシート芝30から蒔き芝31を生産するための蒔き芝生産装置である。
【００２３】
具体的には、本実施例は、上部にカバー部11が開放回動自在に設けられたケース状の装置本体10に、シート芝30を導入するシート芝導入部１と、このシート芝導入部１から導入されたシート芝30を処理する芝処理部２とが設けられている。
【００２４】
シート芝導入部１は、図１，２に図示したように装置本体10の上部開口部にシート芝30を載置する板状の台部１ａを設けて構成されている。
【００２５】
尚、このシート芝導入部１にコンベアやローラーなどの搬送構造を設けても良い。
【００２６】
芝処理部２は、図１，２に図示したようにカバー部11，装置本体10の内壁面及び装置本体10内に設けられた底面側仕切り部12で囲まれた空間部に、回転体３を回転自在に設けて構成されている。
【００２７】
この空間部を構成するカバー部11には、板状の背面側仕切り部13が設けられ、この背面側仕切り部13には、操作レバー14の操作により開閉する開閉扉13ａが設けられている。
【００２８】
この開閉扉13を開放させることで芝処理部２の背面側は開口し、この開口部から芝処理部２にて処理された蒔き芝31が排出される。
【００２９】
また、底面側仕切り部12には多数の孔12ａ（１７ｍｍ径）が設けられ、処理後に不要となる不要物（土部材及び洗浄液）を落下させる目皿部７として構成されている。
【００３０】
また、装置本体10の背面部には、芝処理部２で処理された蒔き芝31を滑り降下させる蒔き芝排出部15が設けられ、この蒔き芝排出部15の下方位置には蒔き芝回収容器16が設けられている。符号15ａは蒔き芝31に付着した不要物（土部材30ａや洗浄液Ｗ）を落下させる孔である。
【００３１】
また、装置本体10の内部にして目皿部７及び蒔き芝排出部15の下方位置には、不要物（土部材30ａ及び洗浄液Ｗ）を収集する不要物収集板17と、この不要物収集板17により集められた不要物を回収する不要物回収容器18が設けられている。
【００３２】
また、芝処理部２には回転体３が設けられている。
【００３３】
この回転体３は、図１，２に図示したように適宜な金属製の円柱形状体であり、左右端面には回転軸部３ａが突出状態に設けられ、この回転軸部３ａを空間部に設けられた軸受部（図示省略）で軸受させて空間部内に回転自在に横設されている。
【００３４】
また、この回転体３は、装置本体10の外部に設けられた駆動源19（モーター／５５０ＲＰＭ（５０ＨＺ））の駆動により回転する。
【００３５】
また、この回転体３の周面には、シート芝30を叩いて細かく分断する芝分断部４が突設されている。
【００３６】
芝分断部４は、図１，２に図示したように適宜な金属製の部材で形成したものであり、複数の丸棒状部材をＵ字状に形成して設けられ、回転体３の周面に放射方向に突出状態に設けて構成されている。
【００３７】
従って、回転体３を回転させて芝分断部４をシート芝30に衝突させることで芝30ｂを分断する（ほぐす）ことになる。
【００３８】
また、回転体３の周面には、芝30ｂの茎を切断する茎切断刃部５が突設されている。
【００３９】
茎切断刃部５は、図１，２に図示したように適宜な金属製の部材で形成したものであり、複数の刃板を回転体３の周面に放射方向に突出状態に設けて構成されている。
【００４０】
従って、回転体３を回転させて芝30ｂの茎30ｂ’（ランナー）を切断することになり、蒔き芝に適した大きさに切断される。
【００４１】
また、本実施例では、シート芝導入部１には、シート芝30に洗浄液Ｗを供給する洗浄液供給部６が設けられている。
【００４２】
この洗浄液供給部６は、図１，２に図示したように装置本体10の上部開口部に散水孔６ａ’が多数設けられた管体６ａを設けて構成されており、図示省略の液体供給源（水道）から供給される洗浄液Ｗ（水）を、シート芝導入部１から導入されたシート芝30に散水供給するように構成されている。尚、この洗浄液供給部６を芝処理部２（装置本体10）内に設けて処理中の物に対して散水供給しても良い。
【００４３】
本実施例は上述のように構成したから、シート芝30はシート芝導入部１から芝処理部２へ導入される。この際、洗浄液供給部６からシート芝30に洗浄液Ｗ（水）が散水供給される。
【００４４】
この芝処理部２において、シート芝30は回転する回転体３に突設された芝分断部４によって連続的に叩かれ細かく分断されるとともに、茎切断刃部５により芝30ｂの茎30ｂ’（ランナー）を切断することになり、蒔き芝に適した大きさに切断される。
【００４５】
よって、本実施例によれば、シート芝30の分断が手作業でなく良好に行われ、蒔き芝工法に用いる蒔き芝31が簡易且つ迅速に生産できる。
【００４６】
また、本実施例は、シート芝導入部１には、シート芝30に洗浄液Ｗを供給する洗浄液供給部６が設けられているから、洗浄液Ｗが供給されることでシート芝30の土部材30ａが柔らかくなり流れ落ちる為、芝分断部４によるシート芝30の分断及び茎切断刃部５による芝30ｂの茎30ｂ’（ランナー）の切断が良好に行われることになり、しかも、土部材30ａは勿論、この土部材30ａに含まれる不要物（不純物や害虫卵や雑草種子）が除去されることになり、良質な蒔き芝が得られることになる。
【００４７】
また、本実施例は、芝処理部２の下方位置には目皿部７が設けられているから、洗浄液供給部６から散水供給された洗浄液Ｗの除去（脱水）が行われ、不要物が良好に除去される。
【００４８】
尚、本発明は、本実施例に限られるものではなく、各構成要件の具体的構成は適宜設計し得るものである。
【符号の説明】
【００４９】
Ｗ  洗浄液
１  シート芝導入部
２  芝処理部
３  回転体
４  芝分断部
５  茎切断刃部
６  洗浄液供給部
７  目皿部
30  シート芝
30ａ  土部材
30ｂ  芝
30ｂ’  茎
31  蒔き芝
【図１】
2019170306.tif 000003
【図２】
2019170306.tif 000004
【図３】
2019170306.tif 000005
【図４】
2019170306.tif 000006
【図５】
2019170306.tif 000007
【図６】
2019170306.tif 000008